(57)【要約】【課題】女性用のブラジャーの肩紐などの長尺部材を傷つけることが抑制されるように長尺部材に取り付けることが可能な磁気治療器を提供することを目的とする。【解決手段】本発明の磁気治療器は、長尺部材Ｓに着脱可能に取り付けられて使用される磁気治療器１であって、磁石２と、磁石２を収容する磁石収容部３と、磁石収容部３に開閉可能に取り付けられる一対の可動片４とを備え、一対の可動片４は、閉じた状態で、磁石収容部３との間で長尺部材Ｓを挟持し、開いた状態で、磁石収容部３との間での長尺部材Ｓの挟持を解除するように構成され、一対の可動片４は、一対の可動片４の弾性復元力により、開いた状態から閉じた状態に移行するように構成され、一対の可動片４は、閉じた状態で、それぞれの少なくとも一部が互いに重なり合うように配置されることを特徴とする。【選択図】図４
2020179060.tif 000002
【特許請求の範囲】
【請求項１】
長尺部材に着脱可能に取り付けられて使用される磁気治療器であって、
前記磁気治療器が、
磁石と、
前記磁石を収容する磁石収容部と、
前記磁石収容部に開閉可能に取り付けられる一対の可動片と
を備え、
前記一対の可動片は、閉じた状態で、前記磁石収容部との間で前記長尺部材を挟持し、開いた状態で、前記磁石収容部との間での前記長尺部材の挟持を解除するように構成され、
前記一対の可動片は、前記一対の可動片の弾性復元力により、開いた状態から閉じた状態に移行するように構成され、
前記一対の可動片は、閉じた状態で、それぞれの少なくとも一部が互いに重なり合うように配置される、
磁気治療器。
【請求項２】
前記一対の可動片は、前記一対の可動片が閉じた状態で前記一対の可動片のそれぞれが互いに重なり合う部分と前記磁石収容部との間で前記長尺部材が挟持されるように配置される、
請求項１記載の磁気治療器。
【請求項３】
前記一対の可動片が閉じた状態で前記一対の可動片のそれぞれが互いに重なり合う部分の幅が、前記長尺部材の幅と略同一か、または前記長尺部材の幅よりも大きい、
請求項１または２記載の磁気治療器。
【請求項４】
前記一対の可動片が、可塑剤が添加されたポリ塩化ビニルにより形成される、
請求項１〜３のいずれか１項に記載の磁気治療器。
【請求項５】
前記磁石収容部が、
前記磁気治療器が前記長尺部材に取り付けられたときに、前記長尺部材に面するように位置し、前記長尺部材に沿って延びる基部と、
前記基部の延びる方向に対して垂直な方向の一方側および他方側に前記基部からそれぞれ拡張する一方側拡張部および他方側拡張部と
を備え、
前記一方側拡張部および前記他方側拡張部は、前記一方側拡張部が前記他方側拡張部よりも前記基部からの長さが大きくなるように、前記基部を中心に互いに非対称に設けられる、
請求項１〜４のいずれか１項に記載の磁気治療器。
【発明の詳細な説明】
【技術分野】
【０００１】
本発明は、磁気治療器に関する。
【背景技術】
【０００２】
従来、人体の血行を良くし、肩こりや腰痛の症状を緩和するために、磁石を備えた磁気治療器が用いられている。磁気治療器としては、たとえば特許文献１に開示されているように、女性用のブラジャーの肩紐などに取り付けられて使用されるタイプの磁気治療器がある。このタイプの磁気治療器は、人体の皮膚に直接貼り付けられて使用されるタイプの磁気治療器とは違って、皮膚に直接貼り付けられないので、皮膚にかゆみやかぶれが生じる可能性が軽減される。
【先行技術文献】
【特許文献】
【０００３】
【特許文献１】特開２００３−２３５９９８号公報
【発明の概要】
【発明が解決しようとする課題】
【０００４】
特許文献１の磁気治療器は、磁石が取り付けられ、折り曲げ可能なシート状本体を備えている。この磁気治療器は、シート状本体が折り曲げられて肩紐を挟み込むことで、肩紐に取り付けられる。シート状本体には、複数の凸部が設けられており、シート状本体が肩紐を挟み込んだ際に凸部が肩紐に食い込むことにより、シート状本体の肩紐に対する位置ずれが防止される。ところが、この磁気治療器では、凸部が肩紐に食い込むことで、肩紐を傷つけてしまう可能性がある。
【０００５】
本発明は、上記問題に鑑みなされたもので、女性用のブラジャーの肩紐などの長尺部材を傷つけることが抑制されるように長尺部材に取り付けることが可能な磁気治療器を提供することを目的とする。
【課題を解決するための手段】
【０００６】
本発明の磁気治療器は、長尺部材に着脱可能に取り付けられて使用される磁気治療器であって、前記磁気治療器が、磁石と、前記磁石を収容する磁石収容部と、前記磁石収容部に開閉可能に取り付けられる一対の可動片とを備え、前記一対の可動片は、閉じた状態で、前記磁石収容部との間で前記長尺部材を挟持し、開いた状態で、前記磁石収容部との間での前記長尺部材の挟持を解除するように構成され、前記一対の可動片は、前記一対の可動片の弾性復元力により、開いた状態から閉じた状態に移行するように構成され、前記一対の可動片は、閉じた状態で、それぞれの少なくとも一部が互いに重なり合うように配置されることを特徴とする。
【０００７】
また、前記一対の可動片は、前記一対の可動片が閉じた状態で前記一対の可動片のそれぞれが互いに重なり合う部分と前記磁石収容部との間で前記長尺部材が挟持されるように配置されることが好ましい。
【０００８】
また、前記一対の可動片が閉じた状態で前記一対の可動片のそれぞれが互いに重なり合う部分の幅が、前記長尺部材の幅と略同一か、または前記長尺部材の幅よりも大きいことが好ましい。
【０００９】
また、前記一対の可動片が、可塑剤が添加されたポリ塩化ビニルにより形成されることが好ましい。
【００１０】
また、前記磁石収容部が、前記磁気治療器が前記長尺部材に取り付けられたときに、前記長尺部材に面するように位置し、前記長尺部材に沿って延びる基部と、前記基部の延びる方向に対して垂直な方向の一方側および他方側に前記基部からそれぞれ拡張する一方側拡張部および他方側拡張部とを備え、前記一方側拡張部および前記他方側拡張部は、前記一方側拡張部が前記他方側拡張部よりも前記基部からの長さが大きくなるように、前記基部を中心に互いに非対称に設けられることが好ましい。
【発明の効果】
【００１１】
本発明によれば、女性用のブラジャーの肩紐などの長尺部材を傷つけることが抑制されるように長尺部材に取り付けることが可能な磁気治療器を提供することができる。
【図面の簡単な説明】
【００１２】
【図１】本発明の一実施形態に係る磁気治療器の正面図である。
【図２】図１の磁気治療器の裏面図である。
【図３】図２のＡ−Ａ線端面図である。
【図４】図１の磁気治療器の一対の可動片が開いた状態の斜視図である。
【図５】図１の磁気治療器がブラジャーの肩紐に取り付けられて使用されている状態を示す図である。
【発明を実施するための形態】
【００１３】
以下、図面を参照して、本発明の一実施形態に係る磁気治療器を説明する。ただし、以下の実施形態は一例にすぎず、本発明の磁気治療器は、以下の実施形態に限定されることはない。
【００１４】
本実施形態の磁気治療器１は、図５に示されるように、女性用のブラジャーの肩紐Ｓなどの長尺部材に着脱可能に取り付けられて使用される。以下では、磁気治療器１を、ブラジャーの肩紐Ｓに取り付けられて使用される例を挙げて説明する。ただし、磁気治療器１は、取り付けられることで人体に磁気治療効果を及ぼすように人体の皮膚に近接して配置することが可能であれば、取り付けられる対象は特に限定されることはなく、たとえばスリップの肩紐など、他の長尺部材に取り付けて使用することができる。
【００１５】
磁気治療器１は、本実施形態では、図５に示されるように、ブラジャーの肩紐Ｓに取り付けられることで、人体の肩や背中の皮膚に近接して配置される。磁気治療器１は、人体の肩や背中の皮膚に近接して配置されることで、人体の体内に磁場を印加し、配置される部位およびその周辺の血行を促進したり、代謝を向上したりするなどの磁気治療効果をもたらす。
【００１６】
磁気治療器１は、図１〜図４に示されるように、磁石２と、磁石２を収容する磁石収容部３と、磁石収容部３に開閉可能に取り付けられる一対の可動片４とを備える。磁気治療器１は、以下で詳しく述べるように、磁石収容部３と一対の可動片４との間に肩紐Ｓが挟持されることで肩紐Ｓに取り付けられる。磁気治療器１は、たとえば、図５に示されるように、磁石収容部３が人体の皮膚と肩紐Ｓとの間に配置されるように、肩紐Ｓに取り付けることができる。ただし、磁気治療器１は、一対の可動片４が人体の皮膚と肩紐Ｓとの間に配置されるように、肩紐Ｓに取り付けることもできる。
【００１７】
磁石２は、２つの磁極（Ｎ極、Ｓ極）を有し、人体に対して磁気治療効果を及ぼし得る磁力線を発生させる。磁石２は、本実施形態では、磁石収容部３の表面（後述する第１シート状部材３１または第２シート状部材３２）に対して略垂直方向に延びる磁極方向を有している。磁石２は、磁石収容部３の表面に対して略垂直方向に延びる磁極方向を有することで、磁気治療器１が肩紐Ｓに取り付けられて使用される際に、人体の皮膚表面に対して略垂直方向に磁極方向が向くように配置される。このように磁石２の磁極方向が人体の皮膚表面に対して略垂直方向に延びることで、皮膚表面に対して磁極方向が平行に延びる場合と比べて、皮膚表面に対して略垂直な方向の磁界強度が大きくなり、皮膚表面からより深い体内まで磁気を作用させることができる。ただし、磁石２は、人体に対して磁気治療効果を及ぼし得る磁力線を発生させることができればよく、その磁極方向は特に限定されることはない。
【００１８】
磁石２は、本実施形態では、図１〜図４に示されるように、複数（図示された例では３つ）の磁石を含んでいる。複数の磁石２はそれぞれ、後述する磁石収容部３の基部３ａの延びる方向に沿って互いに間隔をあけて一列に並んで配置される。複数の磁石２はそれぞれ、基部３ａの延びる方向に沿って配置されることで、磁気治療器１が肩紐Ｓに取り付けられて使用される際に、肩紐Ｓの延びる方向に沿って互いに間隔をあけて並んで配置される。複数の磁石２は、肩紐Ｓに沿って配置されることで、肩紐Ｓの張力によって皮膚側に押圧されるので、皮膚表面のより近傍に磁石が配置されて、人体に対して大きな磁気治療効果を及ぼすことができる。ただし、磁石２は、磁石収容部３に収容されていればよく、その配置は特に限定されることはなく、またその数も特に限定されることはない。
【００１９】
磁石２は、本実施形態では、図１〜図４に示されるように、略円板状に形成されている。磁石２は、略円板状の互いに対向する板表面にＮ極およびＳ極が配置され、２つの板表面間を結ぶ方向に磁極方向が延びている。磁石２は、略円板状の板表面が磁石収容部３の表面と略平行になるように配置される。ただし、磁石２は、人体に対して磁気治療効果を及ぼし得る磁力線を発生させることができればよく、その形状は特に限定されることはない。
【００２０】
磁石２は、本実施形態では、図１〜図４に示されるように、肩紐Ｓの幅Ｗ１よりも小さい幅（図示された例では直径）を有する大きさに形成されている。磁石２は、肩紐Ｓの幅Ｗ１よりも小さく形成されることで、磁気治療器１が肩紐Ｓに取り付けられたときに、肩紐Ｓの幅Ｗ１の範囲内に配置することができるので、肩紐Ｓの張力によってその位置が安定する。ただし、磁石２は、人体に対して磁気治療効果を及ぼし得る磁力線を発生させることができればよく、その大きさは特に限定されることはない。
【００２１】
磁石２は、特に限定されることはなく、たとえばネオジウム、フェライト、サマリウムコバルトなどの永久磁石を採用することができる。ただし、その出力レベルは、皮膚表面上において、厚生労働省の認証基準である２００ｍＴ以下であることが好ましい。
【００２２】
磁石収容部３は、磁石２を収容する部位である。磁石収容部３は、磁石２を収容することができればよく、その構造は特に限定されることはない。本実施形態では、磁石収容部３は、図１〜図４に示されるように、一対の可動片４が取り付けられる側の第１シート状部材３１と、一対の可動片４が取り付けられる側とは反対側の第２シート状部材３２と、第１シート状部材３１と第２シート状部材３２との間に配置され、磁石２が取り付けられる第３シート状部材３３とを備えている。第１シート状部材３１、第２シート状部材３２および３シート状部材３３は、互いに略同一の形状および大きさに形成されている。磁石収容部３は、第１シート状部材３１、第２シート状部材３２および第３シート状部材３３の周縁が互いに貼り付けられることで、全体としてシート状に形成されている。第１シート状部材３１、第２シート状部材３２および第３シート状部材３３の互いに対する貼り付けは、特に限定されることはなく、熱溶着や接着剤による接着など、公知の貼り付け方法により行なうことができる。
【００２３】
第１シート状部材３１および第２シート状部材３２は、それぞれシート状に形成されて、互いに周縁が貼り合わされることで磁石２を収容する空間を形成する。第１シート状部材３１は、図３に示されるように、一対の可動片４が取り付けられ、一対の可動片４との間に肩紐Ｓが挟持される。第１シート状部材３１は、特に限定されることはないが、肩紐Ｓを傷つけることを抑制する軟質材料により形成されることが好ましく、たとえばポリエステル繊維をスムース編みした生地などにより形成することができる。第２シート状部材３２は、特に限定されることはないが、人体の皮膚に接触され得るので、たとえば通気性に優れ、肌触りの優れた材料により形成されることが好ましく、たとえばポリエステル繊維をスムース編みした生地などにより形成することができる。
【００２４】
第３シート状部材３３は、磁石２を支持する部材である。第３シート状部材３３は、シート状に形成され、第１シート状部材３１と第２シート状部材３２との間に配置される。第３シート状部材３３は、磁石２を支持する強度を有するように形成されていればよく、その構造や構成材料は特に限定されることはない。本実施形態では、第３シート状部材３３は、図３に示されるように、磁石２が固定される凹部３３ａが設けられ、凹部３３ａの周囲に設けられた周壁３３ｂにより磁石２を保護している。第３シート状部材３３は、特に限定されることはないが、磁石２を支持する適度な剛性を有するとともに、磁石収容部３に弾性復元力を付与する適度な可撓性を有する材料により形成されることが好ましく、たとえばポリ塩化ビニル（ＰＶＣ）、ポリエチレン（ＰＥ）、ポリエチレンテレフタレート（ＰＥＴ）などの合成樹脂材料により形成することができる。
【００２５】
磁石収容部３はさらに、肩紐Ｓに取り付けられて使用される際に、肩紐Ｓの捩れ（回転）を抑制するように構成されていてもよい。磁石収容部３は、本実施形態では、図１および図２に示されるように、肩紐Ｓの幅Ｗ１よりも大きい幅で形成され、磁気治療器１が肩紐Ｓに取り付けられたときに、肩紐Ｓの幅方向の両側に拡張する部分が互いに非対称になるように形成されている。より具体的には、磁石収容部３は、磁気治療器１が肩紐Ｓに取り付けられたときに、肩紐Ｓに面するように位置し、肩紐Ｓの延びる方向に沿って延びる基部３ａと、基部３ａの延びる方向に対して垂直な方向（基部３ａの幅方向）の一方側および他方側に基部３ａからそれぞれ拡張する一方側拡張部３ｂおよび他方側拡張部３ｃとを備えている。そして、一方側拡張部３ｂおよび他方側拡張部３ｃは、一方側拡張部３ｂが他方側拡張部３ｃよりも基部３ａからの長さが大きくなるように、基部３ａを中心に互いに非対称に設けられている。
【００２６】
磁石収容部３は、基部３ａの幅方向に基部３ａから拡張する一方側拡張部３ｂおよび他方側拡張部３ｃを備えることにより、磁気治療器１が肩紐Ｓに取り付けられて使用される際に、肩紐Ｓが延びる軸を中心に肩紐Ｓが捩れる（回転する）方向に肩紐Ｓが力を受けたとしても、捩れようとする方向の一方側拡張部３ｂおよび他方側拡張部３ｃのいずれかが皮膚に当接することで肩紐Ｓの捩れ（回転）を抑制する。さらに、一方側拡張部３ｂおよび他方側拡張部３ｃが非対称に形成されて、肩紐Ｓが捩れる傾向の強い側に、基部３ａからの長さが大きい一方側拡張部３ｂが配置されることで、肩紐Ｓの捩れる傾向の強い側の捩れの抑制を強化することができる。本実施形態では、図５に示されるように、磁気治療器１は、一方側拡張部３ｂが人体の中心よりも外側に位置するように配置されている。一般的に、肩は前側へ動かされることが多く、後ろ側に動かされることは少ない。図５に示される例において、肩が前側に動かされることが多いと、肩紐Ｓは、肩紐Ｓの延びる軸を中心に反時計方向に捩れようとする傾向が強くなる。このような場合において、磁石収容部３は、一方側拡張部３ｂが人体の中心よりも外側に配置されることで、肩紐Ｓが反時計方向に捩れようとしたときに一方側拡張部３ｂが皮膚に当接するので、肩紐Ｓの捩れをより確実に抑制することができる。これにより、肩紐Ｓが捩れる傾向の強い側の捩れの抑制を強化することができる。
【００２７】
一方側拡張部３ｂおよび他方側拡張部３ｃのそれぞれは、いずれか一方が他方と比べて、基部３ａからの長さが大きくなるように形成されていれば、その形状は特に限定されることはない。本実施形態では、一方側拡張部３ｂは、図１および図２でよく見られるように、磁気治療器１が肩紐Ｓに取り付けられたときに肩紐Ｓの斜め上方に向かって複数（図示された例では３つ）の突起が延びるように形成されている。それに対して、他方側拡張部３ｃは、磁気治療器１が肩紐Ｓに取り付けられたときに肩紐Ｓの側方に向かって略半円状に拡張するように形成されている。これにより、磁石収容部３は、全体的に鳥の羽を模したような形状を呈する。２つの磁気治療器１がそれぞれ、一方側拡張部３ｂが背中の中心よりも外側に向くように両側の肩紐Ｓのそれぞれに取り付けられると、２つの磁気治療器１がセットで天使の羽のように見えるので、外観が優れたものとなる。
【００２８】
一対の可動片４は、磁石収容部３との間で肩紐Ｓを挟持することで、磁気治療器１を肩紐Ｓに取り付ける。一対の可動片４は、図２〜図４に示されるように、磁石収容部３に開閉可能に取り付けられる。一対の可動片４は、閉じた状態（図２の状態）で、磁石収容部３との間で肩紐Ｓを挟持し、開いた状態（図４の状態）で、磁石収容部３との間での肩紐Ｓの挟持を解除するように構成される。これにより、磁気治療器１は、一対の可動片４の開閉により肩紐Ｓに着脱できるので、簡単に肩紐Ｓに着脱することができる。
【００２９】
一対の可動片４はさらに、一対の可動片４の弾性復元力により、開いた状態（図４の状態）から閉じた状態（図２の状態）に移行するように構成されている。一対の可動片４は、自身の弾性復元力により開いた状態から閉じた状態に移行するので、外力を加える必要がなく、肩紐Ｓを簡単に挟持することができる。また、一対の可動片４は、自身の弾性復元力により開いた状態から閉じた状態に付勢されるので、肩紐Ｓを安定して挟持することができる。一対の可動片４の弾性復元力によって肩紐Ｓを挟持することにより磁気治療器１を肩紐Ｓに取り付けることができるので、肩紐Ｓに大きな力を加えることなく、肩紐Ｓを傷つけることが抑制されるように磁気治療器１を肩紐Ｓに取り付けることができる。
【００３０】
一対の可動片４は、図２に示されるように、閉じた状態で、それぞれの少なくとも一部が互いに重なり合うように配置される。一対の可動片４のそれぞれの少なくとも一部が互いに重なり合うことで、磁気治療器１および肩紐Ｓに互いから外れるような力が加わったとしても、肩紐Ｓは一対の可動片４の両方の可動片の弾性復元力に打ち勝たなければ磁気治療器１から外れないので、一対の可動片４のそれぞれが互いに重なり合わない場合と比べて、より外れにくくなる。
【００３１】
本実施形態では、一対の可動片４は、図２に示されるように、一対の可動片４が閉じた状態で一対の可動片４のそれぞれが互いに重なり合う部分４ａと磁石収容部３との間で肩紐Ｓが挟持されるように配置される。一対の可動片４は、それぞれの可動片が互いに重なり合う部分４ａと磁石収容部３との間で肩紐Ｓを挟持することで、肩紐Ｓをより強固に挟持することができる。それによって、磁気治療器１は、肩紐Ｓから、より外れにくくなる。特に、本実施形態では、一対の可動片４が閉じた状態で一対の可動片４のそれぞれが互いに重なり合う部分４ａの幅Ｗ２が、肩紐Ｓの幅Ｗ１と略同一か、または肩紐Ｓの幅Ｗ１よりも大きい。これにより、一対の可動片４は、肩紐Ｓをより強固に挟持することができ、それによって、磁気治療器１は、肩紐Ｓから、より外れにくくなる。
【００３２】
一対の可動片４は、本実施形態では、図２〜図４に示されるように、第１可動片４１および第２可動片４２を備え、磁石収容部３の第１シート状部材３１に開閉可能に取り付けられる。第１可動片４１は、基部３ａの延びる方向に平行な軸を中心に回転可能なように、磁石収容部３の一方側拡張部３ｂに取り付けられる。また、第２可動片４２は、基部３ａの延びる方向に平行な軸を中心に回転可能なように、磁石収容部３の他方側拡張部３ｃに取り付けられる。第１可動片４１の回転軸と第２可動片４２の回転軸との間に基部３ａが位置付けられており、第１可動片４１および第２可動片４２は、基部３ａを開放するように基部３ａの幅方向の両側に開かれ、基部３ａ上で互いに重なり合うように閉じられる。
【００３３】
第１可動片４１および第２可動片４２はそれぞれ、図２および図４に示されるように、略半円のシート状に形成されている。第１可動片４１および第２可動片４２はそれぞれ、外力が加えられることで、略半円の直線部分が回転軸となるように回転するとともに、基部３ａの幅方向の外側に向かって湾曲して開かれる（図４の状態）。また、開いた状態の第１可動片４１および第２可動片４２はそれぞれ、開いた状態とするための外力が取り除かれると、それぞれの弾性復元力により、略半円の直線部分が回転軸となるように回転するとともに、湾曲部分が平坦に復元して閉じられる（図２の状態）。なお、第１可動片４１および第２可動片４２はそれぞれ、弾性復元力ではなく外力によって、開いた状態から閉じた状態に移行されてもよい。
【００３４】
一対の可動片４は、可撓性を有し、開いた状態から閉じた状態に復元する弾性復元力を有していれば、構成材料は特に限定されることはない。たとえば、一対の可動片４は、肩紐Ｓを傷つけるのを抑制することが可能な軟質材料により形成することができる。磁気治療器１は、一対の可動片４が軟質材料で形成されることで、肩紐Ｓを傷つけるのをさらに抑制しながら、肩紐Ｓに取り付けることができる。また、一対の可動片４は、たとえば粘着性を有する材料により形成することができる。一対の可動片４は、粘着性を有することにより、互いに重なり合って閉じられたときに、それぞれの可動片が互いに粘着するので、肩紐Ｓをより強固に挟持することができる。一対の可動片４は、たとえば可塑剤が添加されたポリ塩化ビニルにより形成することができる。一対の可動片４は、可塑剤がブリードするのを利用して、表面に粘着性が付与される。添加される可塑剤としては、エポキシ化大豆油液体が例示される。
【符号の説明】
【００３５】
１  磁気治療器
２  磁石
３  磁石収容部
３１  第１シート状部材
３２  第２シート状部材
３３  第３シート状部材
３３ａ  凹部
３３ｂ  周壁
３ａ  基部
３ｂ  一方側拡張部
３ｃ  他方側拡張部
４  一対の可動片
４１  第１可動片
４２  第２可動片
４ａ  一対の可動片が互いに重なり合う部分
Ｓ  長尺部材（ブラジャーの肩紐）
Ｗ１  長尺部材（ブラジャーの肩紐）の幅
Ｗ２  一対の可動片が互いに重なり合う部分の幅
【図１】
2020179060.tif 000003
【図２】
2020179060.tif 000004
【図３】
2020179060.tif 000005
【図４】
2020179060.tif 000006
【図５】
2020179060.tif 000007